(57)【特許請求の範囲】
【請求項１】
原稿の画像を読み取る読取部と、画像を記録する記録部と、複数の用紙収容部と、各用紙収容部にさら紙と裏紙のいずれが収容されているかを記憶する記憶手段と、いずれかの用紙収容部に原稿と同一サイズの裏紙が存在すればこれを優先的に使用する裏紙優先と、いずれかの用紙収容部に裏紙が存在すれば原稿と該裏紙とのサイズが同一であるか否かに関わらず該裏紙を使用する裏紙最優先とからなる裏紙使用の優先度を設定する設定手段とを備えるとともに、いずれかの用紙収容部に裏紙が収容されている場合に、予め設定された優先度に応じて裏紙を選択し、記録部に供給する制御部を備えたことを特徴とする原稿読取記録装置。
【請求項２】
原稿の画像を読み取る読取部と、画像を記録する記録部と、複数の用紙収容部と、各用紙収容部にさら紙と裏紙のいずれが収容されているかを記憶する記憶手段と、裏紙使用の可否を選択する選択手段と、いずれかの用紙収容部に原稿と同一サイズの裏紙が存在すればこれを優先的に使用する裏紙優先と、いずれかの用紙収容部に裏紙が存在すれば原稿と該裏紙とのサイズが同一であるか否かに関わらず該裏紙を使用する裏紙最優先とからなる裏紙使用の優先度を設定する設定手段とを備えるとともに、選択手段で裏紙使用可が選択され、かついずれかの用紙収容部に裏紙が収容されている場合に、予め設定された優先度に応じて裏紙を選択し、記録部に供給する制御部を備えたことを特徴とする原稿読取記録装置。
【請求項３】
相手先端末との通信を制御する通信制御部と、原稿の画像を読み取る読取部と、画像を記録する記録部と、複数の用紙収容部とを備え、ファクシミリの送受信と複写とが可能な原稿読取記録装置において、各用紙収容部にさら紙と裏紙のいずれが収容されているかを記憶する記憶手段と、ファクシミリの受信時と複写時について各々、いずれかの用紙収容部に原稿と同一サイズの裏紙が存在すればこれを優先的に使用する裏紙優先と、いずれかの用紙収容部に裏紙が存在すれば原稿と該裏紙とのサイズが同一であるか否かに関わらず該裏紙を使用する裏紙最優先とからなる裏紙使用の優先度を設定する設定手段とを備え、いずれかの用紙収容部に裏紙が収容されている状態でファクシミリの受信又は複写を行う時に各々予め設定された優先度に応じて裏紙を選択し、記録部に供給する制御部を備えたことを特徴とする原稿読取記録装置。
【発明の詳細な説明】
【０００１】
【発明の属する技術分野】
本発明は、複写機又はファクシミリ装置等の原稿読取記録装置に関する。
【０００２】
【従来の技術】
近年、自然環境保護の一環として、省エネルギーや省資源の考え方が一般企業や一般家庭等にも次第に浸透しつつある。例えば、省資源の目的で、複写機やファクシミリ装置の記録用紙として片面に印刷済みの用紙（以下、裏紙という）を利用し、未利用の他面側に印刷することが行われている。
【０００３】
【発明が解決しようとする課題】
ところが、その場合、複写機等で裏紙を使用する度に、通常、用紙カセット等に収容されている未利用の記録紙（以下、さら紙という）と裏紙とを差し替える必要があり、差し替え作業が煩雑であった。また、一部の用紙カセットに予め裏紙を収容しておくことも可能ではあるが、その場合も裏紙の使用時にいずれの用紙カセットに裏紙が収容されているかを一々確認する必要があった。
【０００７】
【課題を解決するための手段】
請求項１記載の原稿読取記録装置は、原稿の画像を読み取る読取部と、画像を記録する記録部と、複数の用紙収容部と、各用紙収容部にさら紙と裏紙のいずれが収容されているかを記憶する記憶手段と、いずれかの用紙収容部に原稿と同一サイズの裏紙が存在すればこれを優先的に使用する裏紙優先と、いずれかの用紙収容部に裏紙が存在すれば原稿と該裏紙とのサイズが同一であるか否かに関わらず該裏紙を使用する裏紙最優先とからなる裏紙使用の優先度を設定する設定手段とを備えるとともに、いずれかの用紙収容部に裏紙が収容されている場合に、予め設定された優先度に応じて裏紙を選択し、記録部に供給する制御部を備えたことを特徴とするものである。
【０００８】
ここで、裏紙使用の優先度としては、例えば、（１）いずれの用紙収容部にも原稿と同一サイズのさら紙は存在しないが、いずれかの用紙収容部に原稿と同一サイズの裏紙が存在する場合、当該同一サイズの裏紙を使用する「低優先度」、（２）いずれかの用紙収容部に原稿と同一サイズの裏紙が存在する場合、原稿と同一サイズのさら紙が存在するか否かにかかわらず原稿と同一サイズの裏紙を使用する「中優先度」、（３）いずれの用紙収容部にも原稿と同一サイズの裏紙が存在しない場合でも、原稿と異なるサイズの裏紙が存在すれば、原稿の画像を縮小したり、又は複数枚に分割したりして裏紙に記録する「高優先度」等の複数段階の優先度を準備し、ユーザが所望の優先度を設定できるようにすればよい。
【０００９】
請求項２の原稿読取記録装置は、原稿の画像を読み取る読取部と、画像を記録する記録部と、複数の用紙収容部と、各用紙収容部にさら紙と裏紙のいずれが収容されているかを記憶する記憶手段と、裏紙使用の可否を選択する選択手段と、いずれかの用紙収容部に原稿と同一サイズの裏紙が存在すればこれを優先的に使用する裏紙優先と、いずれかの用紙収容部に裏紙が存在すれば原稿と該裏紙とのサイズが同一であるか否かに関わらず該裏紙を使用する裏紙最優先とからなる裏紙使用の優先度を設定する設定手段とを備えるとともに、選択手段で裏紙使用可が選択され、かついずれかの用紙収容部に裏紙が収容されている場合に、予め設定された優先度に応じて裏紙を選択し、記録部に供給する制御部を備えたことを特徴とするものである。
【００１０】
請求項３の原稿読取記録装置は、相手先端末との通信を制御する通信制御部と、原稿の画像を読み取る読取部と、画像を記録する記録部と、複数の用紙収容部とを備え、ファクシミリの送受信と複写とが可能な原稿読取記録装置において、各用紙収容部にさら紙と裏紙のいずれが収容されているかを記憶する記憶手段と、ファクシミリの受信時と複写時について各々、いずれかの用紙収容部に原稿と同一サイズの裏紙が存在すればこれを優先的に使用する裏紙優先と、いずれかの用紙収容部に裏紙が存在すれば原稿と該裏紙とのサイズが同一であるか否かに関わらず該裏紙を使用する裏紙最優先とからなる裏紙使用の優先度を設定する設定手段とを備え、いずれかの用紙収容部に裏紙が収容されている状態でファクシミリの受信又は複写を行う時に各々予め設定された優先度に応じて裏紙を選択し、記録部に供給する制御部を備えたことを特徴とするものである。
【００１１】
【発明の実施の形態】
以下、本発明の実施の形態を図面に基づいて説明する。図１に示すように、図１に概略構成を示すように、原稿読取記録装置としての複写機能付きファクシミリ装置１４は、ＣＰＵ（中央処理装置）等からなる制御部１、ＲＯＭ（Read Only Memory）２、ＲＡＭ(Random Access Memory)３、画像メモリ４、コーデック５、モデム６、通信制御部としてのＮＣＵ(Network Control Unit)７、表示部８、操作部１０、読取部１１及び記録部１２がバスライン１３により互いに接続されてなる。
【００１２】
ＲＡＭ３には、制御部１による制御に必要な各種データ、例えば、複写時には、用紙サイズや枚数等の設定データが、ファクシミリ送受信時には、モデム６の通信速度等のデータが一時記憶される。また、ＲＡＭ３内の一部領域には、裏紙関連メモリ３ａ（記憶手段）と、後述の裏紙キーＣ（選択手段）で裏紙使用モードが選択されているか否かを記憶する裏紙使用モード判定フラグ（図示せず）とが設けられている。
【００１３】
ＲＡＭ３の全領域、又は少なくとも裏紙関連メモリ３ａ及び裏紙使用モード判定フラグが設けられた領域は、不図示の充電地等からなるバックアップ電源でバックアップされて、商用電源等からなるメインの電源の切断時にも記憶内容が保持されるようになっている。
【００１４】
上記画像メモリ４はＲＡＭ等からなり、後述の読取部１１で読み取られ、コーデック５で符号化（圧縮）された後の画像データが記憶されるようになっている。画像メモリ４は、符号化済みの画像データを、原稿の数１０頁乃至数１００頁分程度蓄積できる記憶容量を備えている。
【００１５】
コーデック５は、読取部１１で読み取られた、複写又はファクシミリ送信すべき画像データを順次符号化し、また、ファクシミリ通信の相手先端末から受信した符号化画像データを復号する役割を有する。モデム６は、送受信データの変復調、具体的には送信データを音声帯域信号に変調してＮＣＵ７を介して公衆電話回線網等の通信回線１５に送出する一方、通信回線１５からＮＣＵ７を介して相手先端末から受信した音声帯域信号をディジタル信号に復調する。
【００１６】
ＮＣＵ７は、公衆電話回線網等の通信回線１５とこのファクシミリ装置１４との接続を制御するとともに、相手先端末のファクシミリ番号に応じたダイヤルパルスを送出する機能及び着信を検出する機能を備えている。
【００１７】
図２に示すように、表示部８は、例えば、液晶表示素子からなり、操作部１０には、複数のキーが設けられている。すなわち、Ａ及びＢは各々複写（コピー）又はファクシミリ送信を選択するキー、Ｃは裏紙使用モードのオン、オフを切り換える裏紙キー、Ｄ１乃至Ｄ３は複写又はファクシミリ送信すべき原稿の読取に際して各々画質（解像度）、濃度及び倍率を選択する選択キーである。
【００１８】
Ｅ１乃至Ｅ３は、これらに対応させて表示部８内に表示される各種機能を選択する機能選択キーである。例えば、図２に示す複写の選択時には、「用紙選択（用紙カセット選択）」、「裏紙設定」及び「優先度設定」等の各種機能を選択するために用いられ、この内、「裏紙設定」機能及び「優先度設定」機能については、以下で説明する。
【００１９】
Ｆは、表示部８に表示される画面（メニュー）を切り換えるためのメニューキーであり、図示しないが、メニューキーＦを繰り返し押下操作すると、図２の画面から、順次、後述のワンタッチキーＷに対応した相手先端末のファクシミリ番号の登録画面、相手先端末のファクシミリ番号に対応した２乃至３桁程度の短縮番号の登録画面等の各種画面に切り換わるようになっている。
【００２０】
Ｇは、表示部８に表示される不図示のカーソルや各種選択項目を上下左右に移動させる十字カーソルキー、Ｈは読取部１１にセットされた不図示の原稿の読取開始を指示するスタートキー、Ｊはテンキー、Ｋは複写時等に用紙の両面へ画像を記録するか否かを設定する両面設定キー、Ｌは画質等の設定を標準の「自動」モードにリセットするリセットキー、Ｍは複写やファクシミリ送信等の中止を指示するストップキーである。
【００２１】
Ｗは複数個設けられたワンタッチキーであり、各ワンタッチキーＷに対応させて所望の相手先端末のファクシミリ番号をＲＡＭ３等に登録しておくことにより、ワンタッチキーＷを押下操作するのみで当該相手先端末を発呼できるようになっている。
【００２２】
読取部１１は、不図示のラインセンサーやＣＣＤ(Charge Coupled Device)等からなり、原稿の読取を行うようになっている。記録部１２は、電子写真方式又はインクジェット方式等の印刷装置を備え、複写又はファクシミリ受信時に原稿の画像又は受信画像を記録するようになっている。
【００２３】
なお、記録部１２は、図示しないが、複数個、例えば、３個の用紙カセット（用紙収容部）を備えており、各用紙カセットに収容されている用紙のサイズとさら紙、裏紙の区別とが、表示部８にカセット形状を示す図形Ｎ１乃至Ｎ３とともに表示されるようになっている。
【００２４】
ＲＯＮ２には、複写及びファクシミリの送受信用のプログラム等が予め記憶されている。上記プログラム中には、裏紙キーＣで裏紙使用可が選択され、かついずれかの用紙カセットに裏紙が収容されている場合に当該裏紙を収容した用紙カセットから記録部１２に裏紙を供給するための手順が含まれている。
【００２５】
その場合、裏紙使用の優先度を予め設定しておき、いずれかの用紙カセットに裏紙が収容されている場合に、予め設定された優先度に応じて適切なサイズの裏紙又はさら紙を選択し、記録部１２に供給することが好ましい。また、裏紙使用の優先度は複写時とファクシミリの受信時とについて各々独立に設定するのが好適である。なお、ＲＯＮ２に代えて、書換え可能な不揮発性メモリであるフラッシュメモリ等を使用してもよい。
【００２６】
上記構成において、複写時には、スタートキーＨの操作に伴って原稿の画像が読取部１１で読み取られ、この画像データが、コーデック５で符号化されて画像メモリ４に蓄積された後、再度復号されて記録部１２で印刷される。
【００２７】
また、ファクシミリ送信時には、読取部１１で読み取られた原稿の画像データがコーデック５で符号化されて画像メモリ４に蓄積された後、モデム６で変調され、ＮＣＵ７から通信回線１５を通して相手先端末に送信される。更に、ファクシミリ受信時には、受信した画像データがモデム６で復調されて画像メモリ４に蓄積された後、コーデック５で復号され、記録部１２により印刷される。
【００２８】
以下、複写又はファクシミリ受信時に、制御部１が予め設定された裏紙使用の優先度に応じてさら紙と裏紙を用い分ける手順等を説明する。まず、各用紙カセットに収容されている用紙がさら紙と裏紙のいずれであるかを指定して記憶させる場合、図２の表示状態で「裏紙設定」に対応した機能選択キーＥ２を操作すると、図３の裏紙設定画面に切り換わる。
【００２９】
ここで、各用紙カセットを示す図形Ｎ１乃至Ｎ３が順次反転表示（図３では便宜上ハッチングで表示）されるのに従って、各用紙カセット内の用紙がさら紙であるか裏紙であるかの別を、表示部８内の「さら紙」、「裏紙」の表示に各々対応した機能選択キーＥ１又はＥ２を操作することで指定する。制御部１は、指定された用紙カセット毎のさら紙、裏紙の別を用紙サイズとともに裏紙関連メモリ３ａに記憶させ、かつ、さら紙、裏紙の別を図形Ｎ１乃至Ｎ３内に表示させる。
【００３０】
上記用紙カセット毎のさら紙、裏紙の設定手順は図４のフローチャートに示す通りである。まず、用紙カセットを識別するカセット番号ｉとして「１」を設定し（Ｓ１）、カセット番号「１」の用紙カセット内の用紙がさら紙か裏紙かを上記手順でユーザに指定させる（Ｓ２）。
【００３１】
続いて、カセット番号ｉに「１」を加算（Ｓ３）した後、カセット番号ｉが原稿読取記録装置１４の全カセット数ｎ、例えば、「３」を超えたか否かを判定する（Ｓ４）。カセット番号ｉが全カセット数ｎ以下であれば、Ｓ２に戻って残りの用紙カセットについてのさら紙、裏紙の別の指定を継続し、カセット番号ｉが全カセット数ｎを超えれば、全ての用紙カセットについての設定が終了しているので、当該処理を終了する。
【００３２】
なお、以上では、ユーザが所望する時期に全ての用紙カセットについて、さら紙、裏紙の別を一括して指定するものとしたが、例えば、いずれかの用紙カセットが原稿読取記録装置１４に装着されたことを不図示のセンサが検出する度に、当該用紙カセット内に補充された用紙がさら紙であるか、裏紙であるかを設定するようにしてもよい。この場合、上記センサが用紙カセットの装着を検出した時点で制御部１がさら紙、裏紙の別を指定する図３のような画面を表示部８に表示させるのが好適である。
【００３３】
次に、裏紙キーＣの操作に応じた裏紙使用モードのオン、オフ制御の手順を説明する。制御部１は裏紙キーＣが操作されたか否かを判定し（Ｓ５）、操作されていなければ、同一の判定を繰り返す。裏紙キーＣが操作されていれば、続いて、制御部１は、その時点で裏紙使用モードがオンとなっているか否かを上記裏紙使用モード判定フラグに基づいて判定する（Ｓ６）。
【００３４】
そして、裏紙使用モードがオフであれば、裏紙使用モード判定フラグをオンとすることにより裏紙使用モードをオンとし（Ｓ７）、一方、裏紙使用モードがオンであれば、裏紙使用モード判定フラグをオフとすることにより裏紙使用モードをオフとする（Ｓ８）。このように、制御部１は、裏紙キーＣが操作される度に裏紙使用モードのオン、オフを反転させる。
【００３５】
次に、裏紙使用モードのオン時における裏紙使用の優先度を設定する手順を説明する。表示部８に図２の画面が表示されている状態で「優先度設定」に対応した機能選択キーＥ３を操作すると、表示部８に図６のような優先度設定用の画面が表示される。
【００３６】
ここで、表示部８に表示されるメッセージ（質問事項）に対して、機能選択キーＥ１、Ｅ２等を用いて順次Yes又はNoを回答してゆくことにより、複写時とファクシミリ受信時の各々について裏紙使用の優先度が決定され、当該優先度が裏紙関連メモリ３ａに記憶される。以下、具体的手順を図７のフローチャートに基づいて説明する。
【００３７】
まず、ユーザは表示部８に表示される最初のメッセージ、つまり、複写（コピー）に裏紙を使用するか否かという質問に対し、機能選択キーＥ１、Ｅ２等でYes又はNoを回答する（Ｓ１１）。Noを回答した場合、制御部１は、裏紙関連メモリ３ａに複写には裏紙を使用しない旨を登録する（Ｓ１２）。
【００３８】
Ｓ１１でYesを回答した場合、続いて、ユーザは表示部８に表示される不図示のメッセージに従い、複写時に裏紙をさら紙より優先するか否かについてYes又はNoを回答する（Ｓ１３）。ここで、裏紙優先とは、装着中のいずれかの用紙カセット内に裏紙が存在する場合、所定の条件に従い、可能な限り裏紙を優先的に使用することを意味する。
【００３９】
Ｓ１３でNoを回答した場合、制御部１は、裏紙関連メモリ３ａに複写に裏紙を使用可（「低優先度」）の旨を登録する。ここで、裏紙使用可とは、装着中の用紙カセット中に原稿と同一サイズのさら紙が存在せず、原稿と同一サイズの裏紙が存在する場合に限り当該裏紙を使用することを意味する。
【００４０】
Ｓ１３でYesを回答した場合、続いて、ユーザは、いずれかの用紙カセット内に存在する裏紙のサイズが原稿サイズと異なる場合でも裏紙を使用するかについてYes又はNoを回答する（Ｓ１５）。Noを回答した場合、制御部１は、複写に裏紙優先（「中優先度」）の旨を裏紙関連メモリ３ａに登録する（Ｓ１６）。
【００４１】
なお、複写に裏紙優先とは、原稿と同一サイズの裏紙が存在すれば、原稿と同一サイズのさら紙が存在するか否かにかかわらず、当該裏紙を使用するが、原稿と同一サイズの裏紙が存在しなければ、異なるサイズの裏紙は使用しないことを意味する。一方、Ｓ１５でYesを回答した場合、制御部１は、裏紙関連メモリ３ａに複写に裏紙を最優先（「高優先度」）の旨を登録する（Ｓ１７）。
【００４２】
なお、複写に裏紙を最優先とは、原稿と異なるサイズの裏紙に対して、原稿の画像を縮小して複写したり、等倍で複数枚の裏紙に分割して複写したり、余白を残したまま複写する等の方法を用いることを意味する。
【００４３】
Ｓ１１乃至Ｓ１７において、複写時における裏紙使用の優先度の設定を終了すると、続いて、Ｓ１８乃至Ｓ２４でファクシミリ受信時における裏紙使用の優先度の設定を行う。その手順は、複写時の優先度の設定手順と同一であるので、フローチャートに示すのみとし、重複した説明は省略する。
【００４４】
なお、裏紙を使用するか否かを選択する裏紙キーＣを設けているにもかかわらず、Ｓ１１及びＳ１８で複写時及びファクシミリ受信時に各々裏紙を使用するかを更に選択するのは、複写時又はファクシミリ受信時のいずれか一方では、裏紙を所定の優先度で使用し、他方では、裏紙を一切使用しないことがあり得るからである。
【００４５】
裏紙使用モードがオンとなっているか否かは、図２中矢印Ｏで示すように、表示部８に表示され、かつ当該モードがオンの場合には、その時点で選択されている裏紙使用の優先度も表示部８に表示される。従って、ユーザはこれらの情報に容易に接することができる。
【００４６】
次に、Ｓ７のフローチャートに基づいて設定した優先度に応じて、実際の複写時に裏紙又はさら紙を使い分ける具体的手順を図８のフローチャートを参照しながら説明する。複写に際して、上述のように、まず、制御部１は、読取部１１で読み取らせた原稿の画像を画像メモリ４に格納する（Ｓ３１）。
【００４７】
続いて、制御部１は、上記裏紙使用モード判定フラグに基づいて裏紙使用モードがオンであるか否かを判定し（Ｓ３２）、裏紙使用モードがオフであれば、裏紙は一切使用しないので、Ｓ３３に進んで、画像メモリ４内の画像データを記録部１２によりさら紙に記録させる。
【００４８】
Ｓ３２で、裏紙使用モードがオンであれば、続いて、制御部１は、用紙の両面に記録する両面記録が設定されているか否かを判定する（Ｓ３４）。両面記録が設定されていれば、裏紙は使用できないので、Ｓ３３に移行して、原稿の画像をさら紙に記録させる。
【００４９】
Ｓ３４で両面記録が設定されていなければ、次に、制御部１は、優先度が「裏紙優先（図７のＳ１６）」又は「裏紙最優先（同Ｓ１７）」のいずれかであるか否かを裏紙関連メモリ３ａの記憶内容に基づいて判定する（Ｓ３５）。いずれでもなければ、複写については、裏紙使用不可（同Ｓ１２）又は裏紙使用可（同Ｓ１４）のいずれかが設定されているので、続いて、Ｓ３６に進む。
【００５０】
Ｓ３６では、原稿と同一サイズのさら紙がいずれかの用紙カセットに存在するか否かを判定し、同一サイズのさら紙が存在すれば、当該さら紙に原稿の画像を記録させる（Ｓ３３）。Ｓ３６で、原稿と同一サイズのさら紙が存在しない場合、続いて、制御部１は、優先度が上記裏紙使用可であるか否かを判定する（Ｓ３７）。裏紙使用可でなければ、図示しないが、制御部１は、用紙（さら紙）を補給すべき旨を表示部８に表示させる（Ｓ３８）。
【００５１】
Ｓ３７で優先度が裏紙使用可であれば、次に、制御部１は、装着中のいずれかの用紙カセットに、原稿と同一サイズの裏紙が存在するか否かを判定し（Ｓ３９）、同一サイズの裏紙が存在すれば、当該裏紙に原稿の画像を記録させる（Ｓ４０）。Ｓ３９で原稿と同一サイズの裏紙が存在しなければ、原稿と同一サイズのさら紙も同一サイズの裏紙も存在しないことになるので、Ｓ３８に進んで、原稿と同一サイズのさら紙を補給すべき旨を表示部８に表示させる。
【００５２】
上記Ｓ３５で、選択されている優先度が「裏紙優先」又は「裏紙最優先」であれば、制御部１は、次に、装着中のいずれかの用紙カセットに原稿と同一サイズの裏紙が存在するか否かを裏紙関連メモリ３ａに基づいて判定し（Ｓ４１）、同一サイズの裏紙が存在すれば、当該裏紙に原稿の画像を記録させる（Ｓ４２）。
【００５３】
Ｓ４１で同一サイズの裏紙が存在しなければ、続いて、制御部１は、選択されている優先度が「裏紙最優先」であるか否かを判定し（Ｓ４３）、「裏紙最優先」でなければ、原稿と同一サイズのさら紙に記録させる（Ｓ４４）。なお、装着中の用紙カセットに原稿と同一サイズのさら紙が存在しなければ、さら紙を補充すべき旨のメッセージを表示部８に表示させればよい。
【００５４】
Ｓ４３で、選択されている優先度が「裏紙最優先」であれば、制御部１は、原稿と異なるサイズの裏紙に対して原稿の画像を記録させる。例えば、裏紙のサイズが原稿サイズより小さい場合、上述のように、原稿の画像を縮小して記録させたり、１枚の原稿の画像を等倍で複数枚の裏紙に分割して記録させることができる。一方、裏紙のサイズが原稿サイズより大きい場合、裏紙の一部に余白を残したまま等倍で記録させる等の方法を用いればよい（Ｓ４５）。
【００５５】
なお、以上では、原稿の画像を等倍で複写することを前提に説明したが、ユーザが原稿の画像を拡大又は縮小して複写することを指定した場合は、上記の説明における「原稿と同一サイズ」なる表現を、「所望の複写用紙サイズと同一サイズ」と読み替えて制御すればよい。
【００５６】
図９に示すように、ファクシミリ受信時にさら紙と裏紙を使い分けながら受信画像を記録するための制御手順は、図８に示した複写時における制御手順と基本的に同一である。従って、ここでは、重複した説明を省略するが、複写時とファクシミリ受信時とでは、記録すべき画像が原稿の読取画像か受信画像かが相違するため、ステップＳ３１ａ、Ｓ３４ａ及びＳ４５ａ中の表現は図８のステップＳ３１、Ｓ３４及びＳ４５中の表現と若干異なっている。なお、ファクシミリ受信時における裏紙使用の優先度は、図７のＳ１８乃至Ｓ２４で設定された内容に基づいて制御される。
【００５８】
【発明の効果】
請求項１の原稿読取記録装置は、複数の用紙収容部と、各用紙収容部にさら紙と裏紙のいずれが収容されているかを記憶する記憶手段と、裏紙使用の優先度を設定する設定手段とを備えるとともに、いずれかの用紙収容部に裏紙が収容されている場合に、予め設定された優先度に応じて裏紙を選択し、記録部に供給する制御部を備えているので、例えば、いずれかの用紙収容部に原稿と同一サイズの裏紙が存在する時のみに当該裏紙を使用する比較的低い優先度や、いずれかの用紙収容部に原稿サイズと異なるサイズの裏紙が存在する場合でも、画像サイズの縮小機能等を用いて当該裏紙に記録する比較的高い優先度等の複数の優先度の内のいずれかを上記設定手段で設定しておくことにより、制御部は、設定された優先度に応じて裏紙を記録部に供給することができる。これにより、予め優先度を設定しておくのみで、ユーザの要求に応じた適切な優先度で裏紙が選択され、ユーザの要求にきめ細かに応えることができるようになる。
【００５９】
請求項２の原稿読取記録装置は、複数の用紙収容部と、各用紙収容部にさら紙と裏紙のいずれが収容されているかを記憶する記憶手段と、裏紙使用の可否を選択する選択手段と、裏紙使用の優先度を設定する設定手段とを備えるとともに、選択手段で裏紙使用可が選択され、かついずれかの用紙収容部に裏紙が収容されている場合に、予め設定された優先度に応じて裏紙を選択し、記録部に供給する制御部を備えたものであるから、選択手段で裏紙使用不可を選択した場合には、さら紙のみを使用して記録できるとともに、選択手段で裏紙使用可を選択した場合には、予め設定された所望の優先度で裏紙を使用できるようになる。
【００６０】
請求項３の原稿読取記録装置は、相手先端末との通信を制御する通信制御部と、原稿の画像を読み取る読取部と、画像を記録する記録部と、複数の用紙収容部とを備え、ファクシミリの送受信と複写とが可能な原稿読取記録装置において、各用紙収容部にさら紙と裏紙のいずれが収容されているかを記憶する記憶手段と、ファクシミリの受信時と複写時について各々裏紙使用の優先度を設定する設定手段とを備え、いずれかの用紙収容部に裏紙が収容されている状態でファクシミリの受信又は複写を行う時に各々予め設定された優先度に応じて裏紙を選択し、記録部に供給する制御部を備えたものであるから、外部の人員に見せる文書を作成するために行う場合の多い複写時と、内部の人員のみが見る文書を記録することの多いファクシミリ受信時とで、各々異なる裏紙使用の優先度を設定できるようになる。
【図面の簡単な説明】
【図１】本発明の実施の形態における原稿読取記録装置の内部構成を示すブロック構成図。
【図２】上記原稿読取記録装置における表示部及び操作部を示す説明図。
【図３】各用紙カセットに収容されている用紙が裏紙か否かを指定する裏紙設定画面を上記表示部に表示させた状態を示す説明図。
【図４】各用紙カセットの用紙が裏紙かさら紙かを指定する手順を示すフローチャート。
【図５】裏紙使用モードのオン、オフを切り換える手順を示すフローチャート。
【図６】裏紙使用の優先度を設定する優先度設定画面を上記表示部に表示させた状態を示す説明図。
【図７】裏紙使用の優先度を設定する手順を示すフローチャート。
【図８】複写時における裏紙とさら紙の使い分け制御手順を示すフローチャート。
【図９】ファクシミリ受信時における裏紙とさら紙の使い分け制御手順を示すフローチャート。
【符号の説明】
１  制御部
３ａ  裏紙関連メモリ（記憶手段）
７  ＮＣＵ（通信制御部）
１１  読取部
１２  記録部
Ｃ  裏紙キー（選択手段）
【図１】
0004247652.tif 000002
【図２】
0004247652.tif 000003
【図３】
0004247652.tif 000004
【図４】
0004247652.tif 000005
【図５】
0004247652.tif 000006
【図６】
0004247652.tif 000007
【図７】
0004247652.tif 000008
【図８】
0004247652.tif 000009
【図９】
0004247652.tif 000010